(57)【要約】【課題】デジタル映像信号処理で必要となる所定周波数の基準クロック信号を得る手法として、ジッター発生要因を有する手法を用いた場合でも、このジッターに起因する画質劣化や音質劣化を出来る限り目立たなくすることを可能とする装置を提供する。【解決手段】映像信号や音声信号の信号レベルが低い期間か否かを検出し、信号レベルが低くない期間は、クロック信号を生成するＰＬＬ回路の構成要素である帰還分周器５の分周比率を固定値とし、信号レベルが低い期間は、帰還分周器５の分周比率を可変して、これら各期間よりも十分に長い期間で積分すると、全体的にみれば所定周波数となる基準クロック信号を生成する。【選択図】図１
2009177575.tif 000002
【特許請求の範囲】
【請求項１】
入力クロック信号が有する第１の所定周波数を、乗算係数Ｎ（Ｎは自然数）で逓倍する乗算器、及び除算係数Ｍ（Ｍは自然数）で分周する除算器を少なくとも用いて乗除算し、所定のデジタル映像信号処理を実行する際に必要な第２の所定周波数を有する基準クロック信号を生成する基準クロック信号生成装置において、
前記乗算器を構成するＰＬＬ回路で用いられる帰還分周器において、前記乗算係数Ｎを決定する値である分周比率を制御する分周比率制御手段と、
前記デジタル映像信号処理対象の映像信号を入力として受け、この映像信号の輝度レベル、または、前記映像信号から縦線成分及び横線成分のうち少なくともいずれか一方の成分をフィルタリングによって抽出した信号のレベルが、予め設定される第１の閾値以下であるか否かを検出する映像パターン検出手段と、
を有し、
前記分周比率制御手段は、
前記第２の所定周波数を有する基準クロック信号を、前記乗算係数Ｎ、及び前記除算係数Ｍを固定値として乗除算しても生成できない場合、
前記映像パターン検出手段によって、前記映像信号が前記第１の閾値を越えたこと検出した第１の期間は、前記基準クロック信号生成装置の出力クロック信号の周波数が前記第２の所定周波数に近い値となるような固定値である第１の分周比率を決定し、前記分周比率を、この決定した第１の分周比率となるように前記帰還分周器を制御し、
前記映像パターン検出手段によって、前記映像信号が前記第１の閾値以下であることを検出した第２の期間は、その時点までの前記帰還分周器への制御状況に応じて、前記第１の期間及び前記第２の期間よりも十分に長い所定期間内で前記出力クロック信号の周波数を積分した場合、等価的に前記出力クロック信号の周波数が前記第２の所定周波数となるように、前記第１の分周比率によって得られた周波数と前記第２の所定周波数との周波数ずれ量を補正した第２の分周比率を算出し、この算出した第２の分周比率となるように前記帰還分周器を制御する手段である、
ことを特徴とした基準クロック信号生成装置。
【請求項２】
入力クロック信号が有する第１の所定周波数を、乗算係数Ｎ（Ｎは自然数）で逓倍する乗算器、及び除算係数Ｍ（Ｍは自然数）で分周する除算器を少なくとも用いて乗除算し、所定のデジタル音声信号処理を実行する際に必要な第２の所定周波数を有する基準クロック信号を生成する基準クロック信号生成装置において、
前記乗算器を構成するＰＬＬ回路で用いられる帰還分周器において、前記乗算係数Ｎを決定する値である分周比率を制御する分周比率制御手段と、
前記デジタル音声信号処理対象の音声信号を入力として受け、この音声信号の音量レベル、または、音声信号から単音成分、和音成分、高域成分のうち少なくともいずれかの成分をフィルタリングによって抽出した信号のレベルが、予め設定される第１の閾値以下であるか否かを検出する音声パターン検出手段と、
を有し、
前記分周比率制御手段は、
前記第２の所定周波数を有する基準クロック信号を、前記乗算係数Ｎ、及び前記除算係数Ｍを固定値として乗除算しても生成できない場合、
前記音声パターン検出手段によって、前記音声信号が前記第１の閾値を越えたこと検出した第１の期間は、前記基準クロック信号生成装置の出力クロック信号の周波数が前記第２の所定周波数に近い値となるような固定値である第１の分周比率を決定し、前記分周比率を、この決定した第１の分周比率となるように前記帰還分周器を制御し、
前記音声パターン検出手段によって、前記映像信号が前記第１の閾値以下であることを検出した第２の期間は、その時点までの前記帰還分周器への制御状況に応じて、前記第１の期間及び前記第２の期間よりも十分に長い所定期間内で前記出力クロック信号の周波数を積分した場合、等価的に前記出力クロック信号の周波数が前記第２の所定周波数となるように、前記第１の分周比率によって得られた周波数と前記第２の所定周波数との周波数ずれ量を補正した第２の分周比率を算出し、この算出した第２の分周比率となるように前記帰還分周器を制御する手段である、
ことを特徴とした基準クロック信号生成装置。
【発明の詳細な説明】
【技術分野】
【０００１】
本発明は、映像信号や音声信号に対してデジタル信号処理を行う際に用いられる基準クロック信号を生成する装置に関する。
【背景技術】
【０００２】
映像信号や音声信号に対してＡ／Ｄ変換処理やＤ／Ａ変換処理を含むデジタル信号処理を行う際には、基準となるクロック信号が必要となる。そして、この基準クロック信号は、一般的にＰＬＬ(Phase locked loop)回路を用いて生成される。
【０００３】
ＰＬＬ回路は、帰還分周器、位相比較器、フィルタ、電圧制御発振器(ＶＣＯ：Voltage Controlled Oscillator）等によって構成される。そして、ＰＬＬ回路は、周知の通り、帰還分周器の分周比率をＰ（Ｐは自然数）とした場合、入力クロック信号の周波数をＰ倍した周波数の出力クロック信号を生成する回路である。
【０００４】
ＰＬＬ回路を用いた従来技術にはさまざまなものがある。
例えば特許文献１は、映像信号をＡ／Ｄ変換する際に用いる基準クロック信号の生成にＰＬＬ回路を用いた従来の技術に関するものである。
【０００５】
また特許文献２は、ＰＬＬ回路で発生するジッターを抑制する従来の技術に関するものである。
【特許文献１】特許第２７０５５８８号
【特許文献２】特許第３５１４２５５号
【発明の開示】
【発明が解決しようとする課題】
【０００６】
ＰＬＬ回路を用いれば、入力クロック信号に対してＮ倍の周波数の基準クロック信号を生成することが可能である。従って、ＰＬＬ回路は、周波数に対する乗算器といえる。
そして、自ら発振し、所定周波数の発振クロック信号を生成するクリスタル発振器と、この乗算器（ＰＬＬ回路）と、周波数に対する除算器である分周器とを用いることで、基準クロック生成装置が構成できる。
【０００７】
この基準クロック生成装置は、クリスタル発振器の発振周波数を、ＰＬＬ回路と分周器とを用いて乗除算することで、ある程度任意の周波数の基準クロック信号を生成することができる。
【０００８】
デジタル信号処理で必要な基準クロック信号の周波数が、上記で述べたクリスタル発振器の発振周波数とＰＬＬ回路の乗算係数と分周器の除算係数とから、整数値で得られる場合、ジッターの少ない良好な基準クロック信号を得ることができる。それは、ＰＬＬ回路の乗算係数であるＰの値を固定できることで、ＰＬＬ回路の設計を、基準クロック信号に不要なジッターが発生しないように最適化できるためである。
【０００９】
従って、このように最適化したＰＬＬ回路を含む基準クロック生成装置によって生成された基準クロック信号を用いたデジタル信号処理においては、基準クロック信号のジッターに起因する画質劣化や音質劣化はほとんど生じない。
【００１０】
しかしながら、実際には、ハードウエア規模やコスト面の制約等から、デジタル信号処理で必要な基準クロック信号の周波数が、クリスタル発振器の発振周波数とＰＬＬ回路の乗算係数と分周器の除算係数とから、うまく整数値で得られない場合がある。以下にその要因の代表例を２つ挙げて説明する。
【００１１】
１つは、ＶＣＯの出力周波数は物理的に数百ＭＨｚ以上にはできないため、このＶＣＯの出力の周波数を分周する帰還分周器の分周比率の設定範囲に上限ができるので、出力クロック信号の周波数の分解能に限界が生じるためである。他の１つは、デジタル信号処理の中の、例えばＭＰＥＧ(Moving Picture Experts Group)処理で用いる基準クロック信号には、±３０ｐｐｍ以下という非常に高い精度が必要とされるためである。
【００１２】
このような場合は、例えば、ＰＬＬ回路の帰還分周器の分周比率Ｐ（つまり乗算係数）を適応的に変化させる手法を用いることが一般的に行われる。つまり、ある時点における出力信号の周波数は、所望の周波数に対して多少前後にずれているが、時間軸で積分すれば、全体としては所望の周波数となるように、分周比率Ｐを制御する手法である。
【００１３】
しかし、この手法では、分周比率を変化させる時点でのジッターの発生を避けることができない。従って、このジッターに起因する画質劣化や音質劣化が発生するという課題があった。
【００１４】
そこで本発明は、上記課題を鑑みて、所望の周波数の基準クロック信号を得るために分周器の分周比率等の設定を適応的に変化させるような、ジッター発生要因を有する手法を用いた場合でも、このジッターに起因する画質劣化や音質劣化を出来る限り目立たなくすることが可能な基準クロック信号生成装置を提供することを目的とする。
【課題を解決するための手段】
【００１５】
上記課題を解決するために、本発明は、以下の装置を提供するものである。
（１）  入力クロック信号が有する第１の所定周波数を、乗算係数Ｎ（Ｎは自然数）で逓倍する乗算器、及び除算係数Ｍ（Ｍは自然数）で分周する除算器を少なくとも用いて乗除算し、所定のデジタル映像信号処理を実行する際に必要な第２の所定周波数を有する基準クロック信号を生成する基準クロック信号生成装置において、
前記乗算器を構成するＰＬＬ回路で用いられる帰還分周器において、前記乗算係数Ｎを決定する値である分周比率を制御する分周比率制御手段と、
前記デジタル映像信号処理対象の映像信号を入力として受け、この映像信号の輝度レベル、または、前記映像信号から縦線成分及び横線成分のうち少なくともいずれか一方の成分をフィルタリングによって抽出した信号のレベルが、予め設定される第１の閾値以下であるか否かを検出する映像パターン検出手段と、
を有し、
前記分周比率制御手段は、
前記第２の所定周波数を有する基準クロック信号を、前記乗算係数Ｎ、及び前記除算係数Ｍを固定値として乗除算しても生成できない場合、
前記映像パターン検出手段によって、前記映像信号が前記第１の閾値を越えたこと検出した第１の期間は、前記基準クロック信号生成装置の出力クロック信号の周波数が前記第２の所定周波数に近い値となるような固定値である第１の分周比率を決定し、前記分周比率を、この決定した第１の分周比率となるように前記帰還分周器を制御し、
前記映像パターン検出手段によって、前記映像信号が前記第１の閾値以下であることを検出した第２の期間は、その時点までの前記帰還分周器への制御状況に応じて、前記第１の期間及び前記第２の期間よりも十分に長い所定期間内で前記出力クロック信号の周波数を積分した場合、等価的に前記出力クロック信号の周波数が前記第２の所定周波数となるように、前記第１の分周比率によって得られた周波数と前記第２の所定周波数との周波数ずれ量を補正した第２の分周比率を算出し、この算出した第２の分周比率となるように前記帰還分周器を制御する手段である、
ことを特徴とした基準クロック信号生成装置。
（２）入力クロック信号が有する第１の所定周波数を、乗算係数Ｎ（Ｎは自然数）で逓倍する乗算器、及び除算係数Ｍ（Ｍは自然数）で分周する除算器を少なくとも用いて乗除算し、所定のデジタル音声信号処理を実行する際に必要な第２の所定周波数を有する基準クロック信号を生成する基準クロック信号生成装置において、
前記乗算器を構成するＰＬＬ回路で用いられる帰還分周器において、前記乗算係数Ｎを決定する値である分周比率を制御する分周比率制御手段と、
前記デジタル音声信号処理対象の音声信号を入力として受け、この音声信号の音量レベル、または、音声信号から単音成分、和音成分、高域成分のうち少なくともいずれかの成分をフィルタリングによって抽出した信号のレベルが、予め設定される第１の閾値以下であるか否かを検出する音声パターン検出手段と、
を有し、
前記分周比率制御手段は、
前記第２の所定周波数を有する基準クロック信号を、前記乗算係数Ｎ、及び前記除算係数Ｍを固定値として乗除算しても生成できない場合、
前記音声パターン検出手段によって、前記音声信号が前記第１の閾値を越えたこと検出した第１の期間は、前記基準クロック信号生成装置の出力クロック信号の周波数が前記第２の所定周波数に近い値となるような固定値である第１の分周比率を決定し、前記分周比率を、この決定した第１の分周比率となるように前記帰還分周器を制御し、
前記音声パターン検出手段によって、前記映像信号が前記第１の閾値以下であることを検出した第２の期間は、その時点までの前記帰還分周器への制御状況に応じて、前記第１の期間及び前記第２の期間よりも十分に長い所定期間内で前記出力クロック信号の周波数を積分した場合、等価的に前記出力クロック信号の周波数が前記第２の所定周波数となるように、前記第１の分周比率によって得られた周波数と前記第２の所定周波数との周波数ずれ量を補正した第２の分周比率を算出し、この算出した第２の分周比率となるように前記帰還分周器を制御する手段である、
ことを特徴とした基準クロック信号生成装置。
【発明の効果】
【００１６】
本発明によれば、所望の周波数の基準クロック信号を得るために分周器の分周比率等の設定を適応的に変化させるような、ジッター発生要因を有する手法を用いた場合でも、このジッターに起因する画質劣化や音質劣化を出来る限り目立たなくすることが可能となる。
【００１７】
また、本発明によれば、基準クロック信号のジッターを抑制するために必要な大規模な回路を必要としないので、コストアップを抑制することが可能となる。
【発明を実施するための最良の形態】
【００１８】
次に、本発明を実施するための最良の形態（実施例）について説明する。
【実施例１】
【００１９】
まず、実施例１について説明する。
図１は、実施例１の構成を示すブロック図である。
本実施例は、入力段分周器１、位相比較器２、フィルタ３、ＶＣＯ４、帰還分周器５、第１出力段分周器６、第２出力段分周器７、分周比率制御部８、及び映像パターン検出部９等より構成される。
【００２０】
なお、位相比較器２、フィルタ３、ＶＣＯ４、及び帰還分周器５は、ＰＬＬ回路を構成している。
入力段分周器１は、図示しないクリスタル発振器などで生成された所定周波数Ｆｒｅｆの発振クロック信号を入力として受け、この発振クロック信号を所定の分周比率で分周して、分周クロック信号を生成する。
【００２１】
位相比較器２は、入力段分周器１で生成された分周クロック信号と後述する帰還分周器５の出力信号である帰還分周クロック信号６との位相差に応じた位相差信号を生成する。
フィルタ３は、ＰＬＬ回路の安定性を補償してジッターを抑制するための、所謂ループフィルタである。入力される位相差信号は、このフィルタ３によって主に高周波数成分が減衰されて周波数制御信号となる。
【００２２】
ＶＣＯ４は、フィルタ３から供給される周波数制御信号の電圧値に応じて周波数が変化する制御クロック信号を生成する。
帰還分周器５は、後述する分周比率制御部８から供給される分周比率制御信号により、分周比率を可変制御される。そして、この制御によって決定された分周比率で、ＶＣＯ４から入力される制御クロック信号を分周し、帰還分周クロック信号を生成し、前述した位相比較器２へ出力する。
【００２３】
第１出力段分周器６は、入力される制御クロック信号を所定の分周比率で分周し、映像信号処理で用いるための所定周波数の映像処理用基準クロック信号を生成し、図示しない映像信号処理部へ出力する。
【００２４】
第２出力段分周器７は、入力される制御クロック信号を所定の分周比率で分周し、ＭＰＥＧ処理で用いるための所定周波数のＭＰＥＧ処理用基準クロック信号を生成し、図示しないＭＰＥＧ処理部へ出力する。
【００２５】
映像パターン検出部９には、図示しない映像処理部へ入力されるものと同じ映像信号が入力される。そして、映像パターン検出部９は、この入力された映像信号に含まれる特定の映像パターンを検出し、この検出した映像パターンの期間を示す映像パターン検出信号を分周比率制御部８へ出力する。
【００２６】
分周比率制御部８は、映像パターン検出部９から入力される映像パターン検出信号に応じた分周比率制御信号を生成して、帰還分周器５に出力することで、帰還分周器５の分周比率を制御する。
【００２７】
次に、図１、図４Ａ、及び図７を参照しながら本実施例１の動作について説明する。
図４Ａは、映像信号から特定の映像パターンを検出し、制御信号Ａ／Ｂを生成する様子を示したものである。
【００２８】
また、図７は、分周比率制御部８の詳細な内部構成を示すブロック図である。
本実施例１は、入力される映像信号から検出する特定の映像パターンに応じて、帰還分周器５の分周比率を可変制御することで、可変制御の際に基準クロック信号にジッターが生じても、このジッターに起因する画質劣化を出来る限り目立たなくすることを可能とするものである。
【００２９】
例えば、入力信号である発振クロック信号の周波数をＦｒｅｆ（Ｈｚ）、入力段分周器１の分周比率をＭ１、第１出力段分周器６の分周比率をＭ２、帰還分周器５の分周比率をＭ３、第１出力段分周器６の出力の周波数をＦｏｕｔ（Ｈｚ）とすると、これらの関係は下記式１に示すことができる。
【００３０】
Ｆｏｕｔ＝Ｆｒｅｆ÷Ｍ１×Ｍ３×Ｍ２    ・・・式１
但し、Ｆｏｕｔ，Ｆｒｅｆ，Ｍ１，Ｍ２，Ｍ３は自然数
ここで、要求されるＦｏｕｔが、自然数による上記式２の関係を完全には満たせないような場合、帰還分周器の分周比率を、Ｍ３とＭ３＋αとを所定のタイミングで変化させることで、時間軸で積分すると全体的には目的の周波数Ｆｏｕｔとなるようにする。なお、αは、帰還分周器５の分周比率の設定の最小ステップ×自然数である。
【００３１】
本実施例１は、上記した帰還分周器５の分周比率をＭ３で固定する期間とＭ３＋αで可変制御する期間とを設ける点と、この互いの期間を切り換えるタイミングを固定パターンとせず、分周比率制御部８によって、ダイナミックに変化させる点に特徴がある。
【００３２】
以下に、上記した、分周比率制御部８によって、帰還分周器５の分周比率をダイナミックに変化させる動作について図４Ａを用いて詳細に説明する。
図４Ａに示すように、映像パターン検出部９は、入力される映像信号の輝度レベルが予め設定している閾値を越えるか否かを検出する。そして、その検出結果を映像パターン検出信号として分周比率制御部８へ出力する。
【００３３】
次に、図７に示す分周比率制御部８の可変タイミング設定部３６は、映像パターン検出部９から供給される映像パターン信号に応じて、映像信号の輝度レベルが閾値より高く、明るい映像であると判断された映像期間（Ａ）では分周比率をＭ３に固定するための制御信号Ａを生成して後段の分周比率制御信号生成部３７へ出力する。一方、映像信号の輝度レベルが閾値以下で、暗い映像であると判断された映像期間（Ｂ）では、分周比率をＭ３＋αで可変制御するための制御信号Ｂを生成して後段の分周比率制御信号生成部３７へ出力する。なお、図７には、可変タイミング設定部３６への入力信号として音声パターン検出信号も記載しているが、これは後述する実施例２及び実施例３で用いるもので、本実施例１では使用しない。
【００３４】
分周比率制御信号生成部３７は、制御信号Ａが供給される期間は、分周比率を予め決定している固定値Ｍ３になるような分周比率制御信号を生成し、帰還分周器５に出力する。一方、制御信号Ｂが供給される期間は、例えば、所定期間毎の分周比率の設定状況を解析したりすることで、基準クロック信号の周波数が、時間軸上においてこれらの制御信号Ａ／Ｂが供給される各期間よりも十分に長い期間で積分した場合、全体としては所望の周波数になるように分周比率Ｍ３＋αのα部分の係数を算出する。そして、この算出したαを用いて、分周比率がＭ３＋αとなるような分周比率制御信号を生成し、帰還分周器５に出力する。
【００３５】
本実施例１によれば、以上の処理によって、分周比率を変化させる期間を、入力される映像信号の中でジッターの目立ちにくい輝度レベルの低い（暗い）映像部分とすることにより、基準クロック信号のジッターに起因する映像への視覚上の影響を低減することができる。
【００３６】
なお、上記では、輝度レベルによって映像パターンを検出したが、映像パターンの検出方法はこれに限らない。基準クロック信号のジッターに起因する映像劣化が目立ちにくい映像と目立ちやすい映像とを区別できる映像パターンであれば、どのような映像パターンを検出しても良い。
【００３７】
例えば、図４Ｂで示したように、映像に現れる縦線成分や横線成分のようなジッターの影響を受けやすい映像をフィルタリングによって抽出し、これを用いても良い。
【実施例２】
【００３８】
次に、実施例２について説明する。
図２は、実施例２の構成を示すブロック図である。同図中、図１と同一構成部分には同一符号を付し、その説明を省略する。
【００３９】
本実施例２は、実施例１における第１出力分周器６の替わりに第３出力段分周器１１を設け、実施例１における映像パターン検出部９の替わりに音声パターン検出部１０を設けた点に特徴がある。
【００４０】
第３出力段分周器１１は、入力される制御クロック信号を所定の分周比率で分周し、音声信号処理で用いるための所定周波数の音声処理用基準クロック信号を生成し、図示しない音声信号処理部へ出力する。
【００４１】
音声パターン検出部１０には、図示しない音声処理部へ入力されるものと同じ音声信号が入力される。そして、音声パターン検出部１０は、この入力された音声信号に含まれる特定の音声パターンを検出し、この検出した音声パターンの期間を示す音声パターン検出信号を分周比率制御部８へ出力する。
【００４２】
次に、図２、及び図５を参照しながら本実施例２の動作について説明する。
図５Ａは、音声信号から特定の音声パターンを検出し、制御信号Ａ／Ｂを生成する様子を示したものである。
【００４３】
本実施例２は、入力される音声信号から検出する特定の音声パターンに応じて、帰還分周器５の分周比率を可変制御することで、可変制御の際に基準クロック信号にジッターが生じても、このジッターに起因する音質劣化を出来る限り目立たなくすることを可能とするものである。
【００４４】
図５Ａに示すように、音声パターン検出部１０は、入力される音声信号の音量レベルが予め設定している閾値を越えるか否かを判別する。そして、その判別結果を音声パターン検出信号として分周比率制御部８へ出力する。
【００４５】
分周比率制御部８の動作は、入力信号が、映像パターン検出信号から音声パターン検出信号に替わった点以外は実施例１と同様であるので説明は省略する。
本実施例２によれば、以上の処理によって、分周比率を変化させる期間を、入力される音声信号の中でジッターの目立ちにくい音量レベルの低い（小音）音声部分とすることにより、基準クロック信号のジッターに起因する音声への聴覚上の影響を低減することができる。
【００４６】
なお、上記では、音量レベルによって音声パターンを検出したが、音声パターンの検出方法はこれに限らない。基準クロック信号のジッターに起因する音質劣化が目立ちにくい音声と目立ちやすい音声とを区別できる音声パターンであれば、どのような音映パターンを検出しても良い。
【００４７】
例えば、図５Ｂで示したように、ジッターの影響を受けやすい特定の周波数成分を音声パターンとしてフィルタリングによって抽出し、これを用いても良い。ジッターの影響を受けやすい特定の周波数成分とは、例えば、クリアな単音成分、和音成分、及び高域成分などである。
【実施例３】
【００４８】
次に、実施例３について説明する。
図３は、実施例３の構成を示すブロック図である。同図中、図１及び図２と同一構成部分には同一符号を付し、その説明を省略する。
【００４９】
本実施例３は、実施例１における第１出力分周器６と映像パターン検出部９、及び実施例２における第３出力段分周器１１と音声パターン検出部１０を同時に設けた点に特徴がある。
【００５０】
以下に、図３、及び図６を参照しながら本実施例３の動作について説明する。
図６は、映像信号から特定の映像パターンを検出するとともに、音声信号から特定の音声パターンを検出し、これらから制御信号Ａ／Ｂを生成する様子を示す図である。
【００５１】
本実施例３における、分周比率制御部８は、映像パターン検出信号と音声パターン検出信号とを同時に受け付ける。
そして可変タイミング設定部３６は、図６に示すように、映像パターン検出信号と音声パターン検出信号との論理積から制御信号Ａ／Ｂを生成する。なお、映像信号と音声信号の状況によっては、論理積ではなく論理和から制御信号Ａ／Ｂを生成しても良い。
【００５２】
制御信号Ａ／Ｂが生成された後の動作は実施例１及び実施例３と同様であるので説明は省略する。
本実施例３によれば、以上の処理によって、分周比率を変化させる期間を、入力される音声信号と映像信号との両方でジッターの目立ちにくい期間とすることにより、ジッターに起因する映像及び音声への視聴覚上の影響を低減することができるとともに、映像信号処理用の基準クロック信号の生成と音声信号処理用の基準クロック信号の生成とでＰＬＬ回路を共用でき、コストアップの抑制が可能となる。
【００５３】
なお、以上の説明では、入力信号として、クリスタル発振器などで生成された発振クロック信号を用いる例を示したが、入力信号は、発振クロック信号でなくとも、周波数が一定であってジッターの少ない信号であればどの様な信号でも良い。例えば、Ｈシンクなどの映像同期信号でも良い。
【００５４】
また、ＶＣＯ４は、アナログで構成されるもので良いし、デジタルで構成されるものでも良い。
【図面の簡単な説明】
【００５５】
【図１】実施例１の構成を示すブロック図である。
【図２】実施例２の構成を示すブロック図である。
【図３】実施例３の構成を示すブロック図である。
【図４Ａ】実施例１において映像信号から特定の映像パターンを検出し、制御信号Ａ／Ｂを生成する様子を示す図である。
【図４Ｂ】実施例１において映像信号から特定の映像パターンを検出し、制御信号Ａ／Ｂを生成する様子を示す図である。
【図５Ａ】実施例２において音声信号から特定の音声パターンを検出し、制御信号Ａ／Ｂを生成する様子を示す図である。
【図５Ｂ】実施例２において音声信号から特定の音声パターンを検出し、制御信号Ａ／Ｂを生成する様子を示す図である。
【図６】実施例３において映像信号から特定の映像パターンを検出するとともに、音声信号から特定の音声パターンを検出し、これらから制御信号Ａ／Ｂを生成する様子を示す図である。
【図７】分周比率制御部８の詳細なブロック図である。
【符号の説明】
【００５６】
１  入力段分周器
２  位相比較器
３  フィルタ
４  ＶＣＯ
５  帰還分周器
６  第１出力段分周器
７  第２出力段分周器
８  分周比率制御部
９  映像パターン検出部
１０  音声パターン検出部
１１  第３出力段分周器
３６  可変タイミング設定部
３７  分周比率制御信号生成部
【図１】
2009177575.tif 000003
【図２】
2009177575.tif 000004
【図３】
2009177575.tif 000005
【図４Ａ】
2009177575.tif 000006
【図４Ｂ】
2009177575.tif 000007
【図５Ａ】
2009177575.tif 000008
【図５Ｂ】
2009177575.tif 000009
【図６】
2009177575.tif 000010
【図７】
2009177575.tif 000011